Podtech/llm-jp-corpus-v4-ja_patent huggingface dataset:
(57)【要約】      （修正有）【課題】炎天下にあっても木陰にいるように涼しく快適である構造簡単、安価で効果がよい新三度笠を提供する。【解決手段】断熱材即ち波型をした紙の上側、下側および左右前後に平らな紙を貼り、これを数層重ね合わせそれぞれの間にアルミ箔を挿入し、その全体の周りを布袋で被った構造の断熱材を帽子の天井に貼りつけたものを用いるのである。丁度菅笠を用いるように。【選択図】図１
0003137322.tif 000002
【実用新案登録請求の範囲】
【請求項１】
波型をした平らな紙の上側、下側、左右前後に平らな紙を貼りつけたものを数層重ね、それぞれの層と層との間にアルミ箔を挿入したものを布製の袋で全体を被い、これを布製または麦わら性の帽子の天井に貼りつけた構造になっている新三度笠。
【考案の詳細な説明】
【考案の利用分野】
【０００１】    環境、衛生、に関するものである＞
【背景技術】
【０００２】    夏の日差しはきつく、炎天下で歩く人は汗をかきながら木陰をさがす。また日傘をさしていく炎天下の野球見物。面白いが暑い事は暑い。そこで少しでも何とかなるといいなと考えるのは多くの人々の感想である。
【本案が解決しょうとする課題】
【０００３】    炎天下で暑さを避けるためにはテントや日傘を用い、又扇風機、冷たい飲み物等があるが、木陰が最も望ましい様におもわれる。
【課題を解決しょうとする手段】
【０００４】    そこで木陰と略同様の効果がある以前吾々が考案した断熱材を用いることにした。すなわちその断熱材を帽子の先に貼りつけて涼しさを味わうことにした。すなわち頭の上に座布団をかぶった様な感じであるが、非常に軽いものなのてなんら抵抗感もないのである。
【０００５】その形も四角形や円形楕円形と好みに合わせて用いることができる。デザインによってはすごくすてきなものができるとおもわれる。昔の菅笠の感覚でもちいれば良いとおもわれる。
【実施例】
【０００６】    ５０ｃｍ×５０ｃｍの波型をした平らな紙の上側、下側、および左右、前後に平らな紙を貼って出来たものを数層重ね、それぞれの間にアルミ箔をさしはさみ、その全体を布袋で包み、これを帽子の天井に縫い付けるのである。丁度昔の三度笠のような感覚である。
【考案の効果】
【０００７】本考案の新三度笠を用いると炎天下にあっても木陰にいるように涼しく快適である。至極軽いので何の抵抗感もなく、長時間使用しても耐えることができる。構造簡単、製作容易、安価である。
【図面の簡単な説明】
【０００８】
【図１】      斜位図
【図２】      正面図
【図３】      側面図
【図４】      水平面図
【記号の説明】
Ａ．．．．．．．．．．．．．．断熱材
Ｂ．．．．．．．．．．．．．．帽子
Ｃ．．．．．．．．．．．．．．頭．．．．．．．．．．．
【図１】
0003137322.tif 000003
【図２】
0003137322.tif 000004
【図３】
0003137322.tif 000005
【図４】
0003137322.tif 000006
(57)【要約】【課題】餃子やハンバーグの具材を短時間で効率よく混ぜ合わし、混ざった具材が簡単に調理器具から離れるようにする。【解決手段】泡だて器と挟み器を一体化させることにより、回転動作と挟む動作が合わさって短時間で効率よく具材を混ぜ合わすことをできるようにした。なおかつ、泡だて器のステンレス製針金を平行に設置することで具材が簡単に離れるようにした。また、無機質な調理器具にぶたのマスコットを付けることで、楽しく調理ができるようにした。【選択図】図２
0003137319.tif 000002
【実用新案登録請求の範囲】
【請求項１】
平行に配置された針金を設置した泡だて器と、開閉できる挟み器を一体化している様式を特徴とする調理用品としての手動肉混ぜ器。
【考案の詳細な説明】
【技術分野】
【０００１】本発明は、挟み器を備えており、この挟み器先端部分に円形の針金が取り付けてある様式の調理器具としての手動肉混ぜ器に関する。
【背景技術】
【０００２】餃子やハンバーグの具材等を混ぜる為に使用されている従来公知のミキサーにあっては、混ぜ終わった後の具材を取り除くの作業が非常に手間取るり、後洗浄にも手間がかかる問題を残す欠点を有している。
【考案の開示】
【考案が解決しようとする課題】
【０００３】本発明の根底をなす課題は、料理具材を短時間で簡単に調理できる、冒頭に記載した様式の、調理用品としての手動肉混ぜ器を提供することである。
【考案を解決するための手段】
回転して使用する泡だて器１と挟み動作をする挟み器２を一体化することにより、両機能を満たすことができるようにした。混ざった具材が離れやすくするため、泡だて器の針金を並行３に設置した。
【考案の効果】
【０００４】回転しながら挟む動作をするため、具材を効率よく混ぜることができ、なおかつ混ざった具材が離れやすくなり、短時間で効率よく餃子やハンバーグの具材作り作業をおこなうことができる。
【図面の簡単な説明】
【０００５】
【図１】（ａ）泡だて器と挟み胃を一体とした肉混ぜ器で閉じた状態の正面図である。（ｂ）泡だて器と挟み器を一体とした肉混ぜ器で開いた状態の正面図である。
【図２】（ａ）考案した肉混ぜ器を正面から見た平面図である。（ｂ）考案した肉混ぜ器の側面から見た側面図である。
【符号の説明】
【０００６】１、泡だて器
２、挟み器
３、平行ステンレス針金
４、ストッパー
５、ぶたのマスコットマーク
【図１】
0003137319.tif 000003
【図２】
0003137319.tif 000004
(57)【要約】      （修正有）【課題】携帯電話に鏡を組込付けて携帯鏡の不便さをなくす。【解決手段】携帯電話に鏡を組込付ることによって鏡を簡単便利に使えるように実現し、上記の課題を解決する。携帯電話を開いた時の斜視図で携帯電話の内面はメールの画面や装置があり鏡は組込できないので、外側の背中の正面に鏡を符号２の部分に組込付た形態となる。【選択図】図２
0003137317.tif 000002
【実用新案登録請求の範囲】
【請求項１】
鏡を携帯電話に組込付ることによって簡単便利に鏡を使えることを特徴とする鏡付の携帯電話
【考案の詳細な説明】
【考案の詳細な説明】
【技術分野】
【０００１】本考案は携帯鏡の不便さをなくそうとするもので携帯電話をもっと使いよい便利にしようとするものである
【背景技術】
【０００２】現在使用されている携帯電話には鏡は組込付いてはないのである
【考案が解決しようとする課題】
【０００３】携帯電話に鏡を組込付ることによって携帯鏡をそのたび取出さなくてすみ不便さをなくそうとするものである
【課題を解決するための手段】
【０００４】鏡を携帯電話に組込付ることによって化粧や頭髪の状態をいつでも簡単便利に見ることができるものである
【考案の効果】
携帯電話に鏡を組込付ることによって携帯鏡の必用がなくなりいつでも鏡を使えるものである
【考案を実施するための最良の形態】
【０００５】以下図面に基づいて本考案の実施の形態を説明する
【実施例１】
【０００６】図１に示すように携帯電話の外側折曲げた半分背中の正面符号２の所に鏡を組込付た形態である【０００７】図２の形態は携帯電話を開いた時の斜視図で携帯電話の内面はメールの画面や装置があり鏡は組込できませんそれですから外側の背中の正面に鏡を符号２の部分に組込付た形態となる
【図面の簡単な説明】
【０００８】
【図１】本考案に係る携帯電話の外側折曲げた形態に鏡の組込付けられた斜視図である
【図２】本考案に係る携帯電話を開いた外側の形態に鏡が組込付けられた斜視図である
【符号の説明】
【０００９】１  携帯電話本体
２  鏡
【図１】
0003137317.tif 000003
【図２】
0003137317.tif 000004
(57)【要約】      （修正有）【課題】靴箱に靴、上履き差し替え使用でも清潔に使用できるマットを提供する。【解決手段】靴、上履き兼用箱となるサイズに見合う寸法のマット１上に、最上部丸み付きポール２本２，３を上下に間隔を空け設け、入口部にストッパー装着用切抜き部を設け、ストッパー５を設けた靴、上履き兼用箱マット。【選択図】図２
0003137333.tif 000002
【実用新案登録請求の範囲】
【請求項１】
靴、上履き兼用箱となるサイズに見合う寸法のマット上に、最上部丸み付きポール２本を上下に間隔を空けて設け、入口部にストッパー装着用切抜きを設け、ストッパーを設けたことを特徴とする靴、上履き兼用箱マット。
【考案の詳細な説明】
【技術分野】
【０００１】  本考案は、マット上面にポール２本を設け、ストッパーを設けた靴、上履き兼用箱マットに関するものである。
【背景技術】
【０００２】  従来、個別式のものでは、上部に上履き入れ付きのもの、また共用棚式のものでは靴、上履きを別の棚を設けることであった。また、スペースが無い場合は靴、上履きを同じ場所に差し替えて置く場合もある。
【考案の開示】
【考案が解決しようとする課題】
【０００３】  そのために、つぎのような問題点があった。
（イ）特に公共用の玄関では靴、上履き用を別に設けることは、スペースを多く必要となる。
（ロ）靴、上履きの個別式２段造りでは、高さも必要になり雨靴ブーツなど入れることが難しくなる。
（ハ）同じ場所に靴、上履きを差し替えて使用することは、靴等の底面に付いた泥や汚れを上履きスリッパの底に付着させることになり衛生的でない。
本考案は、これらの問題点を解決するためになされたものである。
【問題を解決するための手段】
【０００４】  靴、上履き兼用箱となるサイズに見合う寸法のマット上に、最上部丸み付きポール２本を上下に間隔を空けて設け、入口部にストッパー装着用切抜きを設け、ストッパーを設ける。
以上を特徴とする靴、上履き兼用箱マットである。
【考案の効果】
【０００５】  ポール付きマットを使用することにより、ポール最上部の丸み部分は靴の底面に触れる部分も少なく、靴、上履きを差し替えて使用しても上履きの底面が汚れず、靴用、上履き用など２箇所備えることもなくスペースの節約になる。
また、２段造りにすることもないため高さを必要とするブーツ等も余裕で入れられるようになる。
【考案を実施するための最良の形態】
【０００６】  以下、考案の実施の形態について説明する。
（イ）厚さ約３ミリほどのマット（１）の上部に設けるポール（２）とポール（３）は２センチほどの高さ厚みは１センチ位の最上部に丸みを付ける。上下に間隔を空け設ける。
（ロ）個別式の場合ポール付きマットの前に当たるところにストッパー付着部切抜き部（４）を切り抜き、共用棚式では２箇所切り抜く。箱式、棚式の入り口に付けるストッパー（５）は、６面長方形の底にあたるところに接着剤を付け付着させる。
【実施例１】
【０００７】  個別式、共用棚式に見合うマットを敷き、ストッパー付着部切抜き部（４）にストッパー（５）を合わせて付着させる。
【実施例２】
【０００８】  材質は、固めの合成ゴムなどで作り、とりはずしが容易であり清掃がしやすい。
【産業上の利用可能性】
【０００９】  個別箱形、共用棚形など既存のものにも合わせカットを施し使用できる場合もあると思われることから、ストッパー付着部切抜き部（４）は各々の場面に於いてセットする時に切り抜を施す方法もある。
【図面の簡単な説明】
【００１０】
【図１】  本考案の平面図
【図２】  本考案の側面図と靴乗せイメージ
【符号の説明】
【００１１】  １  マット
２  ポール１
３  ポール２
４  ストッパー付着部切抜き部
５  ストッパー
【図１】
0003137333.tif 000003
【図２】
0003137333.tif 000004
(57)【要約】      （修正有）【課題】ヘッドフォン使用者がこれまでの煩わしさを解消し、製品の販促効果も期待されるヘッドフォンコードの絡まり防止装置を提供する。【解決手段】本考案は左側（Ｌ側）と右側（Ｒ側）に分岐している箇所より、ジッパーのような留め具を用い、或いはジッパーのような留め具を用いず左側（Ｌ側）と右側（Ｒ側）双方のケーブルにかみ合わせ式の溝を備え２本のコードを１本のコードにするものである。【選択図】図４
0003137346.tif 000002
【実用新案登録請求の範囲】
【請求項１】
携帯型音楽装置用ステレオ対応ヘッドフォンのコードをジッパーにて左側（Ｌ側）と右側（Ｒ側）の２本のコードを１本にすることを特徴とした装置、もしくはかみ合わせ式の溝を用い左側（Ｌ側）と右側（Ｒ側）の２本のコードを１本にすることを特徴とした装置。
【考案の詳細な説明】
【技術分野】
【０００１】
本考案は、ステレオ機能を要するヘッドフォンコードの収納に関するもので、左側（Ｌ側）と右側（Ｒ側）用としてそれぞれ備わっている２本のヘッドフォンのコードをジッパーもしくはかみ合わせにより１本のコードにすることで収納をより簡易にするものである。
【背景技術】
【０００２】
従来、ヘッドフォンはステレオ出力の為に２本のコードが左右に分岐しており、左側（Ｌ側）と右側（Ｒ側）各々より音声出力される仕組みとなっている。
【０００３】
その為、ヘッドフォンは一般的に図１の通りケーブルが分岐し３つのコードより形成される形状となっている。
【考案の開示】
【考案が解決しようとする課題】
【０００４】
ヘッドフォンはヘッドフォンを使用する携帯音楽機器と対で使用するものであり、その携帯音楽機器が使用されない際、ヘッドフォンはその携帯音楽機器に巻きつけて収納されたり、丸めて巾着袋などへ保管収納されたりしている。しかしながら、その収納時に左側（Ｌ側）と右側（Ｒ側）用としてそれぞれ備わっている２本のヘッドフォンコードがもつれて絡まってしまい、再度使用する際、それらのもつれを解かねばならないという状況が頻繁に発生し、使用者にとっては大変煩わしいものであった。
【０００５】
またもつれを解く際に無理にコードを引っ張ったりすると、ヘッドフォンの接続部分に負荷がかかり断線を引き起こす可能性もあった。
【課題を解決するための手段】
【０００６】
本考案は左側（Ｌ側）と右側（Ｒ側）に分岐している箇所より、図２の通りジッパーのような留め具を用い、或いは図３の通りジッパーのような留め具を用いず左側（Ｌ側）と右側（Ｒ側）双方のケーブルにかみ合わせ式の溝を備え２本のコードを１本のコードにするものである。
【考案の効果】
【０００７】
本考案のヘッドフォンコードの絡まり防止策は、ヘッドフォン使用者がこれまで煩わしいと感じていたもつれという問題を解消するだけでなく、「絡まり防止」という機能を謳い文句にした製品の販促効果も期待される。また既存のヘッドフォンと比べても、著しい製造、加工コストをかけることなく応用する事が可能である。  
【図面の簡単な説明】
【０００８】
【図１】公知のステレオヘッドフォンの立体図である。
【図２】本考案のジッパーの参考図面である。
【図３】本考案のケーブル双方をかみ合わせに関する参考図面である。
【図４】本考案のジッパーを用いるケースでの実施例図面である。
【図５】本考案のジッパーを用いないケースの実施例図面である。
【図１】
0003137346.tif 000003
【図２】
0003137346.tif 000004
【図３】
0003137346.tif 000005
【図４】
0003137346.tif 000006
【図５】
0003137346.tif 000007
(57)【要約】      （修正有）【課題】篩分機、磁選機、破砕機などを現場で使用する時、電気を使うため、アース装置が必要であり、その為に確実に地面にアース棒を押し込んで埋め込む装置を提供する。【解決手段】四方形の鉄製の基盤１に４本のアース棒２（接地極）を固定し、それを背面より４本のアース棒を下に向けて、トレーラーのジャッキレッグ４により、地中に押し込む。アース棒は短くても、アースの作用は充分果たせ、各法律もクリアできる。１本の長い、アース棒を用いると変形・破損したりして厄介であったが本考案により、現場で安定的にアース棒を地中に埋込ませる。【選択図】図１
0003137341.tif 000002
【実用新案登録請求の範囲】
【請求項１】
鉄製の基盤に直立に適当な長さの鉄製の４本のアース棒を固定し、その４本のアース棒が、トレーラー付属ジャッキレッグにより、その基盤の裏より押され、地中に埋め込まれることが可能である大型移動機械に用いられるアース装置。
【考案の詳細な説明】
【技術分野】
【０００１】  本考案はアース装置に関する。
【背景技術】
【０００２】  本考案は移動式の篩分機、磁選機、破砕機など大型の機械に現場で動力として電気が必要である。そして、それに伴うアースが必要となる。しかし、アース棒は長い１本であるため、地面が固いと途中で曲がったり折れたりして非常に不便であった。
【技術文献１】
これに関するものはまだ出願、登録されていない。
【非特許文献１】  各種の文献等を見たが、本考案のようなものはない。
【考案の開示】
【考案が解決しようとする課題】
【０００３】  本考案は、確実に地面にアース棒を押し込んで埋め込む装置を提供する。
【課題を解決するための手段】
【０００４】  本考案は、鉄製の基盤に直立して適当な長さの鉄製の４本のアース棒を固定し、その４本のアース棒がトレーラー付ジャッキレッグにより、その基盤の裏を押され地中に埋め込まれることが可能な大型移動機械に用いられるアース装置である。
【考案の効果】
【０００５】  アース棒（接地極）を４本にしたため短くても、アースとして充分な効果があり、感電する事故を防げる。アース棒が１本では、すぐ変形、破損して役に立たなくなるが、本考案では安定的にアース棒を地中に埋め込める。
【考案を実施するための最良の形態】
【０００６】  本考案は、四方形の基盤１を用いる。その基盤１に４本のアース棒２を基盤の下に装着する。装着はボルト３を用いる。基盤もアース棒（接地極）も亜鉛メッキを施した鉄製である。
図中、４は、トレーラー付属ジャッキレッグであり、その力により基盤を押し４本のアース棒２を地中へ押し込む。
即ち、基盤１に４本のアース棒２を直立して装着固定し、その基盤１のアース棒２の方を下にして、地面Ａに当てる。そしてタイヤで移動するトレーラーのジャッキレッグにより、基盤を裏面より下へ押す。すると、４本のアース棒は変形することなく、固い地中に押し込まれる。図中Ａは地面である。
この分野では、法律の規制が厳しいが、本考案はそれをクリアできる。
【産業上の利用可能性】
【０００７】  本考案は、この技術分野では画期的なものであり、広く用いられると思う。
【図面の簡単な説明】
【０００８】
【図１】  アース棒を地中に押し込む前の全体の正面図である。
【図２】  アース棒を地中に押し込んだ後の正面図である。
【図３】  基盤を下から見た底面図である。
【図４】  基盤のアース棒を固定する前の側面図である。
【図５】  アース棒を固定した後の基盤の側面図である。
【符号の説明】
１．基盤
２．アース棒（接地極）
３．ボルト
４．トレーラー付属ジャッキレッグ
Ａ．地面
【図１】
0003137341.tif 000003
【図２】
0003137341.tif 000004
【図３】
0003137341.tif 000005
【図４】
0003137341.tif 000006
【図５】
0003137341.tif 000007
(57)【要約】【課題】めがね装着の際、鼻腔や両耳、こめかみに掛けるフレームめがねを、頭部から吊るすことにより、耳鼻への圧迫、疲労感をなくし、安心して装着できるだけでなく、更に連結体でめがねの取替えを可能にして、使用感を向上させる頭部から吊るす連結めがねを提供する。【解決手段】、頭部の回りにヘッド固定体（２）を設け、めがねと連結する連結体（３）にめがねを吊るすように形成し、耳鼻への圧迫の多い構造から、めがねの取り替え可能で長時間の装着や下降、離脱など装着の使用感を向上させる、頭部から吊るす連結めがねを構成する。【選択図】図１
0003137342.tif 000002
【実用新案登録請求の範囲】
【請求項１】
両耳鼻に掛けるめがねのフレームをなくして、頭部に回したヘッド固定体と、相対位置変更可能な連結する連結体で、めがねと連結させ、めがねを頭部から吊るし、めがねの圧迫や下降を防ぎ、長時間のめがね装着の降下を支えることを特徴とする頭部から吊るす連結めがね。
【請求項２】
頭部から吊るすめがねの相対位置変更可能な連結体で、めがね部分の取替えを可能にする、請求項１記載の頭部から吊るす連結めがね。
【考案の詳細な説明】
（実用新案登録請求の範囲）
（請求項１）両耳鼻に掛けるめがね（１）のフレームをなくして、頭部に回したヘッド固定体（２）と、それ（２）と結びつける相対位置変更可能な連結体（３）で、めがねを吊るした状態にし、めがねの圧迫や下降など、装着の疲労度を減少させ、めがね装着の効果を支えることを特徴とする、頭部から吊るす連結めがね。
（請求項２）頭部から吊るすめがねの相対位置変更可能な連結体で、めがね部分の取替えを可能にする、請求項１記載の頭部から吊るす連結めがね。
【考案の詳細な説明】
【技術分野】
【０００１】  本実用新案は、両耳鼻に掛けるフレ−ムめがねを、頭部から吊るした連結体で連結させ、フレームによる耳鼻への圧迫をなくし、着装の使用感を向上させ長時間の装着や下降、離脱のない、めがねの取り替え可能な頭部から吊るす連結めがねに関する。
【背景技術】
【０００２】  従来、めがねの装着には、一対の鼻腔への固定と両耳上部やこめかみへのフレ−ムとによって固定し，安定させる構造が主流である。【０００３】    従来技術に係るめがねは、そのフレ−ム装着で耳鼻への圧迫と疲労感が多い。レンズやフレ−ムが軽量化されたとはいえ、耳鼻に掛かる圧迫や疲労は、長時間の装着に良い構造ではない。【０００４】  従来の両耳鼻に掛けるめがねは、レンズとフレームが一体化されているため、下降したり離脱したり、めがね部分の交換が出来ずめがね装着に不便な機能作用がある。
【考案が解決しようとする課題】
【０００５】  本考案は、めがねの両耳鼻へのフレーム固定をやめ、頭部からの連結体でめがねを頭部から吊るして、めがねの下降や離脱、耳鼻への圧迫をなくし、めがね部分の取替えを可能にして装着の負担を減らし、使用感を向上させる頭部から吊るす連結めがねを提案する。
【課題を解決するための手段】
【０００６】  頭部の回りにめがね（１）を吊るすための頭部ヘッド固定体（２）を設ける。めがね（１）部分と頭部のヘッド固定体（２）とを連結体（３）で連結し、めがねやフレームの両耳鼻への圧迫感を解消し、長時間の装着ができる構造となる。
【０００７】  頭部からめがねを吊るすことで、めがねの下降や離脱が防止でき、レンズとフレームの一体感が解消されて、めがね部分の取り替え装着に適する機能となる。
【考案を実施するための最良の形態】
【０００８】頭部の回りにめがね（１）を吊るすための頭部ヘッド固定体（２）を設ける。【０００９】  頭部ヘッド固定体（２）と、めがね（１）とを結びつける連結体（３）を設けることで、めがね部分を頭部から吊るすことが可能となり、装着の負担が減少し使用感が向上される。【００１０】  めがね部分と連結体（３）の連結は相対位置変更可能に連結する連結手段によって、めがね（１）装着の下降や離脱をなくし、取り替えを容易にする。
【考案の効果】
【００１１】  本考案を使用することで、めがねの装着による鼻腔や両耳の上部、こめかみなど両耳鼻への圧迫がなくなり、長時間のめがね装着が可能となる。
【００１２】    耳鼻からのフレーム装着は、めがねの降下や離脱を誘っていたが、頭部から吊るすことで強固となり、装着の負担が減少し快適さ便利さが提供できる。
【００１３】  両耳鼻へのフレームがないため、連結体によるめがね部分の取替えが容易になり、めがね選択が広がり経費削減が可能となる。
【００１４】  従来の耳鼻に掛けるめがねから耳鼻部分が開放され、イヤ−ホーンやイヤ−フードなど、使用時の不便さ不快さを取り除く効果を発揮するものである。
【図面の簡単な説明】
【図１】  本考案の正面図
【図２】  本考案の斜視図
【符号の説明】
（１）めがね、（２）頭部回りのヘッド固定体、（３）連結体、
【図１】
0003137342.tif 000003
【図２】
0003137342.tif 000004
(57)【要約】【課題】反りや撓みのある板状の測定物を置いた時、その反りや撓みにより、その板状の測定物が平らなステ−ジに対して水平に接地しない為、正確な測定が出来ないという不都合の解消。【解決手段】探針の先端が半球状の上下動するプロ−ブ１とＸ軸方向、Ｙ軸方向に沿って動く、微調整のできる台座４に半球状の測定受け部３を設け、その半球状の測定受け部３とプロ−ブ１で撓んだ板状の測定対象物５を挟む形にして点で計測する。【選択図】図１
0003137343.tif 000002
【実用新案登録請求の範囲】
【請求項１】
上下動する探針の先端が半球状のプロ−ブとＸ軸方向、Ｙ軸方向に沿って動く微調整のできる台座に半球状の測定受け部を設け、その半球状の測定受け部とプロ−ブで板状の測定対象物を挟む形にして点で計測するようにした厚さ測定器。
【考案の詳細な説明】
【技術分野】
【０００１】  本考案は、厚さ測定装置に関する。
【背景技術】
【０００２】  従来の厚さ測定装置は板状の測定物を平らなステ−ジに乗せて測定していた。
【考案の開示】
【考案が解決しようとする課題】
【０００３】  しかし、これでは反りや撓みのある板状の測定物を置いた時、その反りや撓みにより、板状の測定物が平らなステ−ジに対して水平に接地しない為、正確な測定が出来ない。
【課題を解決する為の手段】
【０００４】  そこで、探針の先端が半球状の上下動するプロ−ブとＸ軸方向、Ｙ軸方向に沿って動く、微調整のできる台座に半球状の測定受け部を設け、その半球状の測定受け部とプロ−ブで板状の測定対象物を挟む形にして点で計測するようにした厚さ測定器を考案した。（図１）。この探針の先端が半球状のプロ−ブと半球状の測定受け部のついた微調整のできる台座により、面ではなく、点で測定することが可能になる。
【考案の効果】
【０００５】  よって、本考案の厚さ測定器により、反りや撓みのある板状の測定物でも正確な測定数値を得られる。
【考案を実施するための最良の形態】
【０００６】  本考案に係る厚さ測定器１０は、図１が示すように、探針の先端が半球状の上下動するプロ−ブ１とＸ軸方向、Ｙ軸方向に沿って動く、微調整のできる台座４に半球状の測定受け部３を設け、その球状の測定受け部３とプロ−ブ１で板状の測定対象物５を挟む形にして面ではなく点で計測するようにする。
【図面の簡単な説明】
【０００７】
【図１】  本考案に係る厚さ測定器が板状の測定物を計測している図である。
【図２】  上下動するプロ−ブと測定受け部と撓みのある板状の測定物の拡大図である。
【符号の説明】
【０００８】  １  上下動するプロ−ブ
２  半球状の探針
３  半球状の測定受け部
４  Ｘ軸方向、Ｙ軸方向に沿って動く微調整のできる台座
５  撓んだ板状の測定対象物
【図１】
0003137343.tif 000003
【図２】
0003137343.tif 000004
(57)【要約】【課題】昇降時にガタツキの少ない折畳梯子を提供する。【解決手段】折畳梯子１の上段梯子構成部材２の脚柱２ａは平行に配置する形状で先端部には鎖２ｃを架け渡す。下段梯子構成部材３の脚柱３ａは下端を拡開するハの字形状で、各踏板２ｂ，３ｂの上面は建て掛け時に基盤と平行になるよう脚柱２ａ，３ａに対して斜めに設置する。梯子建て掛け時に上下の脚柱２ａ，３ａ同士が一直線状に並んだ状態で折畳部４の脚柱端面が当接すると共に端部踏板２ｄ，３ｄの対向する全面が相互に密着して作用する荷重を２枚の端部踏板２ｄ，３ｄで確実に支持する。各踏板２ａ，３ａ及び端部踏板２ｄ，３ｄの上面間隔Ｄが全て等しくなるよう端部踏板２ｄ，３ｄの厚さを適宜設定する。【選択図】図２
0003137379.tif 000002
【実用新案登録請求の範囲】
【請求項１】
左右一対の脚柱と、これら脚柱に渡された複数の踏板を有する上下２段からなる梯子構成部材と、上下の梯子構成部材の脚柱端部同士を連結する折畳部を有する折畳梯子において、下段梯子構成部材の脚柱は下端を拡開するハの字形状、上段梯子構成部材の脚柱は平行に配置する形状で、上段梯子部材の先端部には脚柱間に鎖を架け渡し、前記折畳部は、梯子建て掛け時に上下の脚柱同士が一直線状に並んだ状態で端面が当接すると共に夫々の脚柱端部に配設する踏板の対向する面が密着することを特徴とする折畳梯子。
【考案の詳細な説明】
【技術分野】
【０００１】
本考案は、電柱、立木等の丸太状の円柱体に建て掛けて使用する折畳梯子に関する。
【背景技術】
【０００２】
電柱、立木等の丸太状の円柱体に建て掛けて使用する梯子の内で、中間部に折畳部を備える折畳梯子は例えば次の文献等に記載されている。
【特許文献１】特開昭５２−１３４５６３号公報
【特許文献２】実開昭６４−５０５９９号公報
【０００３】
このような折畳梯子は建て掛け時に上下の脚柱同士を一直線状に並んだ状態で使用するものであり、直線が保持されるよう、例えば折畳部に設ける蝶番に過剰回動防止部を形成したり、建て掛け時には上下の脚柱端部が当接する状態としていた。
【０００４】
折畳梯子の場合、折畳部近傍に作業者が到達すると、建て掛けられた脚柱に作用する曲げ荷重が増大し、内側（例えば電柱側）に大きく撓むようになる。この撓み量は踏板を移動する毎に変化するため、折畳部近傍を移動する際には梯子の揺れが特に大きくなる。
【考案の開示】
【考案が解決しようとする課題】
【０００５】
しかし、従来の折畳梯子では、折畳部における上下脚柱の一体化が図られていなかったため、振動によりガタツキが生じ易い欠点があった。
【０００６】
この考案は、従来の折畳梯子が有する上記の問題点を解消すべくなされたものであり、昇降時にガタツキの少ない折畳梯子を提供することを目的としている。
【課題を解決するための手段】
【０００７】
上記課題を解決するため、この考案の折畳梯子は、左右一対の脚柱と、これら脚柱に渡された複数の踏板を有する上下２段からなる梯子構成部材と、上下の梯子構成部材の脚柱端部同士を連結する折畳部を有する折畳梯子において、下段梯子構成部材の脚柱は下端を拡開するハの字形状、上段梯子構成部材の脚柱は平行に配置する形状で、上段梯子部材の先端部には脚柱間に鎖を架け渡し、前記折畳部は、梯子建て掛け時に上下の脚柱同士が一直線状に並んだ状態で端面が当接すると共に夫々の脚柱端部に配設する踏板の対向する面が密着することを特徴とするものである。
【０００８】
鎖は、電柱等の円柱体に建て掛ける際、その周面に当接して梯子の安定性を確保するための部材である。脚柱端部に配設する踏板は対向する全面が相互に密着して作用する荷重を２枚の踏板で確実に支持するよう形成する。
【考案の効果】
【０００９】
この考案の折畳梯子は、梯子建て掛け時に脚柱端部に配設する踏板の対向する面が密着するので昇降時のガタツキが少なくなる。
【考案を実施するための最良の形態】
【００１０】
次にこの考案の実施の形態を添付図面に基づき詳細に説明する。図１は折畳梯子の正面図、図２は折畳梯子を電柱等の円柱体に建て掛けた状態の側面図である。折畳梯子１は、上下２段からなる梯子構成部材２，３と、これらを連結する折畳部４を有し、各梯子構成部材２，３は夫々左右一対の脚柱２ａ，２ａ又は脚柱３ａ，３ａと、これら脚柱２ａ，３ａに夫々渡された複数の踏板２ｂ，３ｂを有する。
【００１１】
上段梯子構成部材２の脚柱２ａ，２ａは平行に配置する形状で、脚柱２ａの先端部には鎖２ｃを架け渡す。この鎖２ｃは、電柱等の円柱体５に建て掛ける際、その周面に当接して折畳梯子１の安定性を確保するための部材である。
【００１２】
折畳梯子１を一直線状に延ばして電柱、立木等の円柱体５に建て掛け、高所作業を行う場合、円柱体５の外径は細いものでは１００ｍｍ以下、太いものになると３００ｍｍ程度と広範囲に亘る。
【００１３】
この時小径の細い柱だと梯子上部で踏板と円柱体が点接触することになり梯子昇降時あるいは梯子上での作業時に左右に回転する力が作用し不安定となり梯子がぐらついたり、電柱等から外れる恐れがある。このため、脚柱の先端相互間に鎖を架け渡し、脚柱間隔より直径が太い柱の場合には脚柱先端による２点で支持し、細い柱の場合は鎖の周面にて支持することにより安定性を確保するものである。
【００１４】
下段梯子構成部材３の脚柱３ａ，３ａは下端を拡開するハの字形状で、下端に図示しない滑り止めを施した底部キャップ３ｃを嵌着する。この底部キャップ３ｃの取付角度は梯子立掛け時に底面が基盤６と水平となるように斜め、例えば脚柱３ａに対しての角度をα＝７５°とする。
【００１５】
又、各梯子構成部材２，３の踏板２ｂ，３ｂの上面も底部キャップ３ｃの底面と平行になるよう脚柱２ａ，３ａに対して斜めに設置する。このように踏板２ｂ，３ｂの上面を脚柱２ａ，３ａに対して斜めにすることで昇降面が水平となり足の運びがスムーズになる。
【００１６】
折畳部４は、上段梯子部材２の脚柱２ａの端部に配設する端部踏板２ｄと、下段梯子部材３の脚柱３ａの端部に配設する端部踏板３ｄと、上下の脚柱２ａ，３ａを連結する蝶番４ａを有し、梯子建て掛け時に上下の脚柱２ａ，３ａ同士が一直線状に並んだ状態で、脚柱端面が当接すると共に端部踏板２ｄ，３ｄの対向する全面が相互に密着して作用する荷重を２枚の端部踏板２ｄ，３ｄで確実に支持するよう形成する。
【００１７】
この端部踏板２ｄの上面も底部キャップ３ｃの底面と平行になるよう取り付け、これら各踏板２ａ，３ａ及び端部踏板２ｄ，３ｄの上面間隔Ｄが全て等しくなるよう端部踏板２ｄ，３ｄの厚さを適宜設定する。
【図面の簡単な説明】
【００１８】
【図１】折畳梯子の正面図である。
【図２】折畳梯子を電柱等の円柱体に建て掛けた状態の側面図である。
【符号の説明】
【００１９】
１  折畳梯子
２  上段梯子構成部材
２ａ  脚柱
２ｂ  踏板
２ｃ  鎖
２ｄ  端部踏板
３  下段梯子構成部材
３ａ  脚柱
３ｂ  踏板
３ｃ  底部キャップ
３ｄ  端部踏板
４  折畳部
５  円柱体
【図１】
0003137379.tif 000003
【図２】
0003137379.tif 000004
(57)【要約】【課題】楽器の演奏ペダルにペダルの長さ、高さを変えることの出来る装置を付加し、演奏者の労働的負担の軽減を計る。【解決手段】本考案はペダル延長部２に関節５を介して高さ調整部４を連結し、操作面３の操作面位置を高くし、且つ、ペダルの延長によって労働的負担の軽減に役立つ。これらの装置を付加することによって生ずるペダリングの違和感は、連結に用いたテンションのかかった関節５の働きによって軽減する。【選択図】図１
0003137551.tif 000002
【実用新案登録請求の範囲】
【請求項１】
楽器本体ペダルと連結する連結部とペダル操作部の中間に関節部を有することを特徴とした楽器ペダルのアクチェーター。
【考案の詳細な説明】
【技術分野】
【０００１】  本考案は、ピアノ又はオルガン等の楽器を演奏する際に用いるペダルの補助装置に関するものである。
【背景技術】
【０００２】  楽器本体に設置しているペダルを不自然な姿勢で操作するか、ペダル延長ジグを装着して使用していた。
【特許文献１】特開２００１−０５６６８０号公報
【考案の開示】
【考案が解決しようとする課題】
【０００３】  しかしながら、従来の技術によれば、ペダルの操作に力を要し、また、子供など身長の低い演奏者にとってペダルは遠い位置にあり、不自然な姿勢での操作を余儀なくされていた。本考案は、身長の低い演奏者や、力の弱い演奏者にとってペダル操作にかかる労働的負担に関する問題点を解決しようとするものである。
【課題を解決するための手段】
【０００４】  本考案は、以上の課題を解決するために、楽器本体のペダルを延長する延長部を設けペダル操作力の軽減を計り、且つ、高さ調整部を設け、操作位置の高さを調整可能にすることで演奏者の利便性を向上している。延長部と高さ調整部は関節によって連結しておりペダルを操作すると、動作は関節を経由して楽器本体のペダルに伝わり楽器の演奏を可能にしている。延長部と高さ調整部の作用により問題点を解決している。
【考案の効果】
【０００５】  上述の様に、本考案の楽器ペダルアクチェーターはペダル操作力の低減、操作位置の調整を可能とした事によって、ペダル操作が労働的負担を感じる演奏者や、身長の低い演奏者でも容易に操作できる。
【考案を実施するための最良の形態】
【０００６】  延長部は楽器本体に容易に装着出来る構造で、本体ペダルより長い寸法を有する。
高さ調整部は演奏者が操作する姿勢で十分脚が届く高さを保持し、且つ、スライド機構により調整が可能となる。また、延長部と高さ調整部は関節で連結する事により、操作時に操作面の角度を初期の状態から大きく離脱しない。関節は、バネによる引力で操作面を一方向へ引っ張っている。
【実施例】
【０００７】  以下、添付図面に従って一実施例を説明する。１は楽器本体への固定部、２はペダル延長部、３は操作面、４は高さ調整部で、４ａ、４ｂのスライド機構によって調整可能となる。５はペダル延長部２，操作面３を連結する関節で、この関節５はバネ５ａによって常時テンションがかかった状態で突き当てストッパー５ｂによって制止している。
【図面の簡単な説明】
【０００８】
【図１】本考案の実施例を示す斜視図である。
【図２】従来技術の一実施形態を示す斜視図である。
【符号の説明】
【０００９】１    固定部
２    ペダル延長部
３    操作面
４    高さ調整部
４ａ  スライド機構
４ｂ  スライド機構
５    関節
５ａ  バネ
５ｂ  突き当てストッパー
６    楽器本体ペダル
７    増設ペダル
８    上押さえ金具
９    下押さえ金具
１０  蝶ねじ
１１  ボルト
【図１】
0003137551.tif 000003
【図２】
0003137551.tif 000004
(57)【要約】【課題】  磁石式固定具としての固定力を増やし、対象物を壁との間で固定する以外に対象物を壁面に垂直に固定する作用並びに、磁石につく物を固定する作用、及びつり下げ具としての作用を可能とする。【解決手段】  磁石部を有する複数連結可能な突起及び突起包含部を有した磁石固定具で、本体を複数連結させることで固定力を高め、連結方向を変えることで壁面以外に対象物を固定でき、つり下げ具としても機能できる。【選択図】図１
0003137554.tif 000002
【実用新案登録請求の範囲】
【請求項１】
磁石式の固定具本体に突起部分及び突起を包含固定できる部分を有し、同型の本体を２個以上連結して磁石の固定力及び固定方向、固定方法を自由に変更して、対象物を鉄板等に固定できる磁石式固定具。
【考案の詳細な説明】
【技術分野】
【０００１】  本考案は、固定力及び固定方法、固定方向を変えられる磁石式固定具に関するものである。
【背景技術】
【０００２】  磁石を使った固定具は、磁石部分とそれを包む樹脂部分等で構成され、鉄板などに掲示物などを固定する際に使用されている。磁力が対象物の重さに耐えられる限り対象物を固定でき実用上十分であった。【０００３】  しかし、従来の磁石式固定具は、１つ１つが単体として構成されているため、磁石の固定力を超えてしまうと対象物が落下し、複数個の固定具を使って固定しなくてはならない。また、対象物を固定具に挟む形でしか固定できないため、壁面との間に挟み込む形でしか対象物を固定できない欠点があった。【０００４】  磁石式固定具に関して、この欠点は大きな障害である。具体的には、使用者が対象物を固定できなかったり、固定方法が対象物を挟む形に限定され、固定方向を変えたりできないなどの問題があった。【０００５】  この欠点を解決するために、従来より強い磁力を持つ磁石を使ったり、磁石を棒状にして磁力を高めたり、磁石を包含する樹脂等の部分の形状を工夫したもの等が考案されてきているが、依然として固定方法や固定方向を変更できるまでには、未だ至っていない現状がある。
【考案の開示】
【考案が解決しようとする課題】
【０００６】  解決しようとする問題点は、磁力による固定力を変えられない点と固定方法及び固定方向を変えられない点である。
【課題を解決するための手段】
【０００７】  本考案は、本体をいくつも連結させ、磁力の作用する方向及び固定具の形状を自由に変更できることを主要な特徴とする。
【考案の効果】
【０００８】  本考案の磁石式固定具は、１個１個単体でも固定具として使用できるが、連結させることにより固定力を強めたり、取りつけ方向を変えることで磁力の作用する方向を変えたりすることができ、連結方向によって固定具自体の形を変え、対象物にあわせた固定方法が選べるという利点がある。
【考案を実施するための最良の形態】
【０００９】  本考案の固定具は、固定用突起部分及び磁石埋め込み部分、突起部を包含固定できる突起格納部分からなる射出成形等で形成された樹脂部分と、埋め込まれる磁石とで形成され、コストの低減化や製造の容易さを実現している。
【実施例１】
【００１０】  図１は、本考案固定具の展開図であって、１は本体樹脂部分、２は連結用突起部分、３は磁石、４ａ、４ｂ、４ｃ、４ｄは突起部各包含部分、５は突起部固定用つめである。また、図２〜図５は実施例である。【００１１】  本考案固定具は単体で通常の磁石式固定具と同様対象物を固定できる。さらに、複数の本体の突起部と突起包含部を連結させて１個の固定具して作用させることができる。連結させると突起部固定用つめで完全に固定される。この機能により、図２のように磁石の固定力を増やし固定対象物にあわせ、形を変えて対象物を固定できる。
【実施例２】
【００１２】  連結方向を本体上部に持ってきて２個をＬ字状に構成すると、図３のように突起部を利用して壁面へのマグネットフックとして使用できる。このことにより、固定具としてだけでなく、フックとしても使用できる点が大きな特徴である。フックの部分に１個つけたして、フック部分を増やすこともでき、固定力が弱い場合は、壁面に吸着する本体を２個、３個と増やせばより重い物もつり下げることができる。
【実施例３】
【００１３】  ２個以上の連結の仕方は、９０°刻みで向きを変えることができ、１方向への固定力としてではなく、前後左右上下方向に磁石につく対象物を固定することができる。これにより、図４のようにはさみやドライバーなどの鉄製品を壁面に固定できる固定具としても使用でき、また、磁石作用方向が横方向に向くよう連結して、対象物を入れて追加の固定具を接着して挟み、壁面に対して対象物を垂直にも固定できる。
【産業上の利用可能性】
【００１４】  従来の磁石式固定具と比較して、固定具としての作用はもちろん、連結させることでの固定力の向上、連結方向の変更による多方向への磁石につく物の固定、マグネットフックとしての機能とその利用性は多様になる。使用者が利用方法を考えて使える可能性も大きく利用価値は高い。
【図面の簡単な説明】
【００１５】
【図１】磁石固定具本体を各方向から示した展開図である。
【図２】磁石固定具を連結させ固定用に使用したものを上部から示した実施例である。
【図３】磁石固定具を連結しフックとして構成したものを示した実施例である。
【図４】磁石固定具を磁力を上方向に向け連結させ鉄製品を固定したものと，磁石式固定具の磁力を横方向に向け対象物を垂直方向に固定した実施例である。
【符号の説明】
【００２０】  １  本体樹脂部
２  突起部
３  磁石
４ａ〜４ｄ  突起部各包含部分
５  突起部固定用つめ
【図１】
0003137554.tif 000003
【図２】
0003137554.tif 000004
【図３】
0003137554.tif 000005
【図４】
0003137554.tif 000006
(57)【要約】【課題】  まず、バッグの中に非常用具を入れておき、取り出した後は、バッグ内に水を入れることができ、かつ、長時間に安全に飲用できる非常用避難用具を提案する。【解決手段】  ビニール製等による水を入れても漏れない袋状のバッグを、キャリーに着脱自在に設けると共に、キャリーに肩ベルトを設けてなることを特徴とする非常用避難用具。【選択図】図１
0003137558.tif 000002
【実用新案登録請求の範囲】
【請求項１】
ビニール製等による水を入れても漏れない袋状のバッグを、キャリーに着脱自在に設けると共に、キャリーに肩ベルトを設けてなることを特徴とする非常用避難用具。
【請求項２】
バッグ内に、非常用具を入れ、必要時に出した後、バッグ内に水を入れてなることを特徴とする請求項１記載の非常用避難用具。
【請求項３】
バッグの上部に、水が漏れないよう凹凸レールによる封止部を設けてなることを特徴とする請求項１又は２記載の非常用避難用具。
【請求項４】
バッグ内に、水の腐敗を防止する防止剤を設けてなることを特徴とする請求項１、２又は３記載の非常用避難用具。
【請求項５】
バッグに、コック付ノズルを設けてなることを特徴とする請求項１、２、３又は４記載の非常用避難用具。
【考案の詳細な説明】
【技術分野】
【０００１】  本考案は、緊急時において、非常用具を迅速に持ち出すことができると共に、袋の中に水を入れることもできる非常用避難用具に関するものである。
【背景技術】
【０００２】  従来の技術として、直立フレームと、この直立フレームに向けて折り畳み可能な積載フレームとからなり、該積載フレームの前端の両側に軸着した大径の運搬車輪と、該積載フレームの下面に固定した複数の小径の支持車輪を具備してなるポリタンク用キャリーがある。（特許文献１参照）
【特許文献１】  実用新案登録第３１１９５２５号公報
【考案の開示】
【考案が解決しようとする課題】
【０００３】  上記従来例においては、ポリタンクをキャリーに設けてなるもので、非常用具を入れることができず、単に水や灯油を入れて運搬するに過ぎず、非常用具等を入れて使用できず、かつ、肩ベルトがないため、リュックサックのように背中にかついで移動できないものである。【０００４】  本考案は、このような従来の構成が有していた問題点を解決しようとするものであり、まず、バッグの中に非常用具を入れておき、取り出した後は、バッグ内に水を入れることができ、かつ、長時間に安全に飲用できる非常用避難用具を提案することを目的とする。
【課題を解決するための手段】
【０００５】  本考案は、上記目的を達成するために、ビニール製等による水を入れても漏れない袋状のバッグを、キャリーに着脱自在に設けると共に、キャリーに肩ベルトを設けてなる。
バッグ内に、非常用具を入れ、必要時に出した後、バッグ内に水を入れてなる。
バッグの上部に、水が漏れないよう凹凸レールによる封止部を設けてなる。
バッグ内に、水の腐敗を防止する防止剤を設けてなる。
バッグに、コック付ノズルを設けてなることを特徴とする。
【考案の効果】
【０００６】１）、袋状のバッグと肩ベルト付のキャリーにより、非常用具を具備できると共に、使用後においては、水を入れて移動でき、必要な場所で水の補給ができる。
２）、肩ベルトにより、キャリーで移動できない場所（例えば山道や階段等）でも背負って移動できる。
３）、封止部により、袋を落としても水漏れしないものである。
４）、腐敗防止剤により、水を長時間安全に飲用できる。
５）、コック付ノズルにより、無駄なく水を使用できる。
【考案の実施するための最良の形態】
【０００７】  １は、非常用避難用具である。
２は、ハンドルフレーム２ａと、支持フレーム２ｂと、台フレーム２ｃとから構成されるキャリーである。
ハンドルフレーム２ａは、ハンドル部２ａ１を設けると共に、係止片２ａ２を設けてなる逆Ｕ字形に形成してなるものである。
支持フレーム２ｂは、両下端に、車輪２ｂ１を設けてあり、逆Ｕ字形に形成してなり、上部に上記ハンドフレーム２ａをピンＰにて折り畳み可能に形設してある。
台フレーム２ｃは、補強枠２ｃ１…を設けてなる逆Ｕ字形に形成してなり、上記支持フレーム２ｂの下部に一体的に固着してなる。
３は、上記支持フレーム２ｂの両側に取り付けてなる肩ベルトである。
４は、ビニール製等による水を入れても漏れない袋状のバッグで、上部に凹凸レールによる封止部４ａを設けると共に、下端にコック付ノズル４ｂを設けてある。
なお、台フレーム２ｃ上に、伸縮自在なベルトＢ・Ｂにて着脱自在に設けてある。
５は、セラミック製あるいは銀製等による抗菌作用のある水の腐敗を防止する防止剤である。
【０００８】  上記非常用避難用具１の使用例について説明する。
予め、非常時において家庭や病院内にてバッグ４内に非常用具Ｑ（薬・包帯・タオル・はさみ・食料等）を入れておき、必要時に取り出し、取り出した後は、バッグ４内に水Ｍを入れ、必要なときに、必要なだけの水Ｍをコック付ノズル４ｂより出し、使用（飲料水）することができる。
【０００９】  なお、上記実施例においてのキャリーの形態は、いろいろ考えられ、特に限定しない。
また、バッグは透明が良いと思われるが、不透明も一考である。
【図面の簡単な説明】
【００１０】
【図１】  本考案の一実施例を示す非常用避難用具の正面図。
【図２】  本考案の一実施例を示す非常用避難用具の側面図。
【符号の説明】
【００１１】    １−−−非常用避難用具
２−−−キャリー
２ａ−−ハンドルフレーム
２ａ１−ハンドル部
２ａ２−係止片
２ｂ−−支持フレーム
２ｂ１−車輪
２ｃ−−台フレーム
２ｃ１−補強枠
３−−−肩ベルト
４−−−バッグ
４ａ−−封止部
４ｂ−−ノズル
５−−−防止剤
Ｐ−−−ピン
Ｂ−−−ベルト
Ｑ−−−非常用具
Ｍ−−−水
【図１】
0003137558.tif 000003
【図２】
0003137558.tif 000004
(57)【要約】【課題】    本考案は、柔らかい部材の対象物を、操る者が意図して庖丁全体を刃の軸方向に往復させることなく、最小の切り口の損壊にて切断する。【解決手段】本考案は、庖丁の握り部２に装填した、振動子付きモーター３から発せられた振動を、刃部１に伝達し、柔らかい部材の食品の切り口を大きく壊すことなく切断する。【選択図】図１
0003137555.tif 000002
【実用新案登録請求の範囲】
【請求項１】
握りの部分に、振動子付きモーターの装填された包丁。
【考案の詳細な説明】
【技術分野】
【０００１】  本考案は、刃を振動させるために、握りの部分にモーター式振動子を装填した、包丁に関するものである。
【背景技術】
【０００２】  生クリームののったスポンジケーキやのり巻き寿司などの柔らかい食品を切断する際には、操る人が庖丁を細かく前後させながら切るということを行っている。
【考案の開示】
【考案が解決しようとする課題】
【０００３】包丁で軟材質の食品を切断しようとする時、庖丁の刃にて対象物を押し下げると、上手く切れずに対象物を損壊してしまうことがある。
【課題を解決するための手段】
【０００４】包丁の握りの部分に、振動子の付いたモーターを装填することにより、刃の部分に細かい振動が伝達され、対象物を切断する際に、操る人が庖丁の握り部分を真下に押し下げても、庖丁の刃の部分を拡大して観測するに、刃は対象物に対し真下にではなく、斜め方向に細かく往復し切り進むこととなるようにする。
【考案の効果】
【０００５】振動子付きのモーター３を、庖丁の握り部２に装填することにより、刃部１にも振動が伝わるようにすると、軟物質を切断する時に、操る者は握り部２を、切断対象物に対し、真下に直線的に押し下げて居るにもかかわらず、刃部１には、連続した斜め方向の細かな往復移動が起きる。このことにより、刃部１が軟物質を押し下げ形状を破壊すると云うことが無くなると同時に、操る者は軽い力にて対象物質を切断することができる。
【考案を実施するための最良の形態】
【０００６】振動子は十分に小さい形状のモーターに取り付けられ、そのモーターの起動力源となる乾電池と共に、本考案の握り部２に埋め込まれる。乾電池を使用するために、これらが装填される握りの部分は、耐水性のある構造が望ましい。【０００７】振動子により起こされる振動は、庖丁の刃の軸に対し、同じ方向成分の入ったものが望ましい。振動の振幅と速度は、対象物を切断する際に対象物を容易に切断するも、切り口を損壊せぬ程度の強さと大きさが望ましい。
【実施例】
【０００８】本考案の握り部２に設けられた電源スイッチ４は、本考案を使用すべく操る者が持つと同時に電流が流れるようになっており、電流が流れたことにより、振動子付きモーター３は作動を開始する。手を離すと、電源スイッチ４は切れる。【０００９】電源スイッチ４は、手で握らなくても、連続して電流を通じ得るように維持できる構造のものであれば、使用の度に、スイッチ部を押すように保持する必要から解放されることとなる。
【産業上の利用可能性】
【００１０】生クリームの乗ったスポンジケーキやのり巻き寿司など切り口を壊さずに、切断するのが容易になる。
【図面の簡単な説明】
【００１１】
【図１】本考案の一部切欠側面図
【図２】本考案の上面図
【符号の説明】
【００１２】  １  本考案の刃部
２  本考案の握り部
３  振動子付きモーター
４  電源スイッチ
【図１】
0003137555.tif 000003
【図２】
0003137555.tif 000004